(57)【要約】【課題】従来の保冷性収容箱は側板を外面板部と内面板部とを重ね合わせるように折り二重構造にしたため蓋体を別部材によって構成しており、嵩張ったものとなるばかりか、コストがアップしてしまうことになる。【解決手段】保冷性収容箱１では、前側板１０３、左側板１０５及び右側板１０７を構成する板部１１、２３、１５、４１、１７、５１の空間に空気層が存在するので、左側板１０５及び右側板１０７は高い断熱性能を有する。また、後側板１０９の重合片４３、５３には、内嵌体７の当接片７１ａ、７３ａ、７５ａ、７７ａの先端面が当接する。これにより内嵌体７の後側部１１３との間に空間が形成され、この空間に空気層が存在することになる。従って、後側板１０９に対応する部分は高い断熱性能を有することになる。【選択図】        図１
2005280728.tif 000002
【特許請求の範囲】
【請求項１】
上面が開口する箱本体と、前記箱本体の開口を覆う蓋体と、箱本体に収容される内嵌体とを有し、前記箱本体、蓋体及び内嵌体が板紙によって構成された保冷性収容箱において、前記内嵌体には少なくとも箱本体を構成する側板の内面に当接して、前記側板の内面と内嵌体との間に空間をつくる当接片が設けられていることを特徴とする保冷性収容箱。
【請求項２】
請求項１に記載した保冷性収容箱において、箱本体は、底部と前記底部に連結される４つの側板とを有し、前記４つの側板のうち３つは空間を開けて互いに対向する２枚の板部を有する二重構造に構成され、残りの１つは前記二重構造ではなく１枚の板部により構成されており、前記蓋体は１枚の板部により構成される側板に連続して形成され、内嵌体の当接片は蓋体に連続する側板の内面に当接するものであることを特徴とする保冷性収容箱。
【請求項３】
請求項２に記載した保冷性収容箱において、底部と側板と蓋体は連続する１枚の板紙によって構成されていることを特徴とする保冷性収容箱。
【請求項４】
請求項１〜３のいずれかに記載した保冷性収容箱において、蓋体には断熱シートが容易に剥離できる状態で貼付されていることを特徴とする保冷性収容箱。
【請求項５】
請求項１〜４のいずれかに記載した保冷性収容箱において、少なくとも箱本体の底板と内嵌体との間に断熱シートが備えられていることを特徴とする保冷性収容箱。
【請求項６】
請求項１〜５のいずれかに記載した保冷性収容箱において、板紙は段ボールまたはボール紙であることを特徴とする保冷性収容箱。
【発明の詳細な説明】
【技術分野】
【０００１】
本発明は保冷性収容箱に係り、特に段ボール等の板紙によって構成された保冷性収容箱に関するものである。
【背景技術】
【０００２】
現在、冷蔵、冷凍の食品等を輸送するための容器としては発泡スチロール製の箱が多用されている。しかし、発泡スチロール製の箱は再生が容易ではないため、その使用後の廃棄処理が問題となっている。そこで特許文献１に記載された保冷性収容箱が考えられ、この保冷性収容箱は発泡スチロール製の保冷性収容箱とほぼ同程度の保冷性を備え、しかも板紙製であるため容易に再生できるという長所を有している。
この特許文献１に記載された保冷性収容箱は、保冷性能を得るために箱本体の４枚の側板を外面板部と内面板部とを重ね合わせるように折って二重構造としている。
【０００３】
【特許文献１】特開２００３−１９２０４７号公報
【発明の開示】
【発明が解決しようとする課題】
【０００４】
しかしながら、特許文献１に記載された保冷性収容箱は側板を外面板部と内面板部とを重ね合わせるように折って二重構造としているので、蓋体を別部材によって構成している。このため、嵩張ったものとなるばかりか、組み立てに手間がかかりコストがアップしてしまうことになる。
本発明は上記課題に着目して為されたものであり、十分な保冷性能を確保し、しかも低コストでコンパクトな保冷性収容箱を提供することを目的とする。
【課題を解決するための手段】
【０００５】
本発明は上記課題を解決するためになされたものであり、請求項１の発明は、上面が開口する箱本体と、前記箱本体の開口を覆う蓋体と、箱本体に収容される内嵌体とを有し、前記箱本体、蓋体及び内嵌体が板紙によって構成された保冷性収容箱において、前記内嵌体には少なくとも箱本体を構成する側板の内面に当接して、前記側板の内面と内嵌体との間に空間をつくる当接片が設けられていることを特徴とする保冷性収容箱である。
【０００６】
請求項２の発明は、請求項１に記載した保冷性収容箱において、箱本体は、底部と前記底部に連結される４つの側板とを有し、前記４つの側板のうち３つは空間を開けて互いに対向する２枚の板部を有する二重構造に構成され、残りの１つは前記二重構造ではなく１枚の板部により構成されており、前記蓋体は１枚の板部により構成される側板に連続して形成され、内嵌体の当接片は蓋体に連続する側板の内面に当接するものであることを特徴とする保冷性収容箱である。
【０００７】
請求項３の発明は、請求項２に記載した保冷性収容箱において、底部と側板と蓋体は連続する１枚の板紙によって構成されていることを特徴とする保冷性収容箱である。
【０００８】
請求項４の発明は、請求項１〜３のいずれかに記載した保冷性収容箱において、蓋体には断熱シートが容易に剥離できる状態で貼付されていることを特徴とする保冷性収容箱である。
【０００９】
請求項５の発明は、請求項１〜４のいずれかに記載した保冷性収容箱において、少なくとも箱本体の底板と内嵌体との間に断熱シートが備えられていることを特徴とする保冷性収容箱である。
【００１０】
請求項６の発明は、請求項１〜５のいずれかに記載した保冷性収容箱において、板紙は段ボールまたはボール紙であることを特徴とする保冷性収容箱である。
【発明の効果】
【００１１】
本発明の保冷性収容箱では、再利用が容易な板紙よって構成され、しかも十分な保冷性能を確保でき、しかも組み立てが簡単にできて低コストでコンパクトに製作することが可能となる。
【実施例１】
【００１２】
本発明の実施例１に係る保冷性収容箱１を図面にしたがって説明する。
保冷性収容箱１は板紙としての段ボール製の蓋体３を備えた箱本体５、内嵌体７等によって構成されている。箱本体５と内嵌体７を構成する段ボールには撥水加工が施されている。
箱本体５は図２に示す平面視形状に裁断された段ボールを一点鎖線で示す折り曲げ部のところで折り曲げることで組み立てられている。箱本体５は矩形の底板９を有し、この底板９の四辺には矩形の板部１１，１３、１５、１７がそれぞれ連結されている。板部１１、１３、１５、１７の一対の短辺には補強部１９、２１、２２、２５が連続して形成されている。
【００１３】
板部１１には連結部２０を介して板部２３が接続され、この板部２３の一対の
短辺には重合片２７、２９が連続して形成されている。また板部２３の長辺には設置片３１が形成されている。板部１１には矩形の差し込み穴３３が形成されている。板部２３には差し込み穴３５と一対の「コ」の字状の切り込み部３７が形成されている。
【００１４】
板部１５には連結部３９を介して板部４１が接続されている。板部４１の一方の短辺には重合片４３が連続して形成され、他方の短辺には凸部４２が形成されており、また長辺には設置片４５が連続して形成されている。また板部４１には「コ」の字状の切り込み部４７が形成されている。
板部１７には連結部４９を介して板部５１が接続されている。板部５１の一方の短辺には重合片５３が連続して形成され、他方の短辺には凸部５２が形成されており、また長辺には設置片５５が連続して形成されている。また板部５１には「コ」の字状の切り込み部５７が形成されている。
板部１５、連結部３９、板部４１、重合片４３、設置片４５及び切り込み部４７と、板部１７、連結部４９、板部５１、重合片５３、設置片５５及び切り込み部５７とは線対称の形状となっている。
【００１５】
板部１３には接続部５９を介して蓋体６１が接続されている。蓋体６１には差し込み片６３が設けられている。蓋体６１にはプラスチック製の断熱シート６２が貼り付けられている。断熱シート６２は蓋体６１の四隅に形成された粘着面６４によって保持されているが、手で引っ張ることによって容易に剥離することが可能であり蓋体６１から分離することができる。
【００１６】
内嵌体７は、図３に示すほぼ矩形の平面視形状に裁断された段ボールを一点鎖線で示す折り曲げ部のところで折り曲げることにより組み立てられている。内嵌体７の長手方向の一方の端部には「コ」の字状の切り込み部６６が形成されている。また内嵌体７には、二つ一組の「コ」の字状の切り込み部６７、６９、７１、７３、７５、７７が形成され、さらに切り込み部７５と７７の間に大きな切り込み部７９が形成されている。また板部２３と重合片２７、２９との間に「Ｌ」の字状の切り込み部８１、８３が形成されている。
【００１７】
箱本体５を前述したように図２に示した展開図を折り曲げ線で折り曲げて組み立て（図１、図４参照）、内嵌体７も同様にして組み立てる（図１参照）。
箱本体５を組み立てると、板部１１と板部２３、板部１５と板部４１、板部１７と板部５１が空間をあけて対向する状態となり、これらの空間に空気層が形成されることになる。そして、互いに空間を開けて対向する板部１１、２３と連結部２０とによって前側板１０３が構成されており、互いに空間を開けて対向する板部１５、４１と連結部３９とによって左側板１０５が構成され、互いに空間を開けて対向する板部１７、５１と連結部４９とによって左側板１０７が構成されている。さらに板部１３と重合片４３、５３とによって後側板１０９が構成される。
【００１８】
設置片３１、４５、５５が底板９に設置し、一対の切り込み部３７、切り込み部４７及び切り込み部５７に囲まれた部分は引き起こされて、支持片３７ａ、４７ａ、５７ａとなる。そして一対の支持片３７ａは板部１１の内面に当接し、支持片４７ａは板部１５に、支持片５７ａは板部１７にそれぞれ当接する。また、重合片４３、５３は板部１３に当接する。また、切り込み部８１、８３に囲まれた部分が引き起こされて形成された切り欠きに板部４１の凸部４２、板部５１の凸部５２がそれぞれ嵌り込む。
【００１９】
また、内嵌体７を組み立てると、切り込み部６７、６９、６６に囲まれた部分が引き起こされて差し込み片６７ａ、６９ａ、６６ａが形成され、さらに切り込み部７１、７３、７５、７７、７９に囲まれた部分が引き起こされて当接片７１ａ、７３ａ、７５ａ、７７ａ、７９ａが形成される。
【００２０】
次に、この保冷性収容箱１の使用方法について説明する。
まず、組み立てた箱本体５の底板９に断熱シート１０１を備えてから内嵌体７を箱本体５に収容する。そして差し込み片６６ａを差し込み穴３５へ差し込み、差し込み片６７ａ、６９ａを、支持片３７ａが引き起こされて形成された穴へ差し込む。これにより内嵌体７は固定された状態で箱本体５に収容される。
内嵌体７に囲まれる収容空間８の図示しない冷蔵食品等の被収物を収容し蓋体６１を閉じて、差し込み片６３を差し込み穴３３へ差し込んで蓋体６１を固定する。また必要に応じて蓋体６１と箱本体５の上面の開口との空間を粘着テープによって塞ぐ。  
【００２１】
保冷性収容箱１では、前述のように前側板１０３、左側板１０５及び右側板１０７を構成する板部１１、２３、１５、４１、１７、５１の空間に空気層が存在するので、左側板１０５及び右側板１０７は高い断熱性能を有する。また、底板９上には断熱シート１０１が備えられ、この断熱シート１０１を挟んで内嵌体７の底部１１１が配置されているので、いわば三重構造となって高い断熱性能を有する。
【００２２】
また、後側板１０９の重合片４３、５３には、内嵌体７の当接片７１ａ、７３ａ、７５ａ、７７ａの先端面が当接する。これにより内嵌体７の後側部１１３との間に空間が形成され、この空間に空気層が存在することになる。従って、後側板１０９に対応する部分は高い断熱性能を有することになる。
さらに、蓋体６１に貼付された断熱シート６２には当接片７９ａが当接する。これにより内嵌体７の上面部１１５との間に空間が形成され、この空間に空気層が存在することになる。従って、蓋体６１に対応する部分は前記空気層と断熱シート６２の存在によって高い断熱性能を有することになる。
箱本体５は、底部９、側板１１、１３、１５、１７、２３、４１、５１、蓋体３等を１枚の段ボールによって構成しているので、隙間部分の数が少なく空気の流通を抑えることができ、しかも水漏れを防止することができる。
【００２３】
このように保冷性収容箱１は、その六面全てが高い断熱性能を有するので、被収容物を長時間に渡って保冷することができる。
しかも、箱本体５と内嵌体７は段ボールによって構成されているので、容易に再生利用することが可能である。また、断熱シート６２は蓋体６１から簡単に剥離させることができるので、箱本体５と分離して廃棄することも可能である。また、断熱シート６２、１０１は断熱性能を発揮するのみならず、被収容物が破損するのを効果的に防止するクッションとしても機能する。
断熱シート１０１と同様のものを内嵌体７の上面部１１５と蓋体６１との間に備えてもよく、さらに断熱シート１０１を内嵌体７の内側に備えてよい。また、断熱シート１０１を内嵌体７に巻き付けてもよい。
断熱シート１０１は箱本体５、内嵌体７に対し単に設置して備えるだけでなく、貼付してもよいのは勿論である。
これによって断熱性能がより向上すると共に、クッション性能が向上する。
なお、保冷性収容箱１を開封して被収容物を取り出す際には、蓋体６１を開き、内嵌体７の切り欠き６５から指を入れ上面部１１５に指を掛けて持ち上げることにより、上面部１１５を開く。
【実施例２】
【００２４】
本発明の実施例２に係る保冷性収容箱１２１を図面にしたがって説明する。
保冷性収容箱１２１は段ボール製の箱本体１２３、内嵌体１２５等によって構成されている。箱本体１２３と内嵌体１２５を構成する段ボールには撥水加工が施されている。
【００２５】
箱本体１２３はＪＩＳＺ１５０７−０２０１タイプの段ボール箱であり、４枚の側板１３５、１３７、１３９、１４１と、これら側板１３５、１３７、１３９、１４１の上下の端部にそれぞれ連続して設けられた閉止片１４５、１４７、１４９、１５１とによって構成されている。側板１３５、１３７、１３９、１４１の下端部に設けられた４枚に閉止片１４５、１４７、１４９、１５１が閉じられて底部１４３が形成される。また側板１３５、１３７、１３９、１４１の上端部に設けられた４枚の閉止片１４５、１４７、１４９、１５１によって蓋体が構成され、この蓋体によって上面の開口１５３が覆われる。
【００２６】
図７に示すように内嵌体１２５は展開すると長いほぼ長方形であり、一方の端部には差し込み穴１２７を有し、他方の端部には切り欠き部１２８を有する差し込み片１２９を有している。また内嵌体１２５には６つの「Ｌ」字状の切り込み部１３１が形成され、この切り込み部１３１は内嵌体１２５の幅方向両端部から側縁に到達しており、長手方向へ並んでいる。さらに内嵌体１２５には３つの「コ」の字状の切り込み部１３３が形成され、この切り込み部１３３は内嵌体１２５の幅方向中央に設けられ、長手方向へ並んでいる。
【００２７】
内嵌体１２５を一点鎖線で示す折り曲げ部で折り曲げ、差し込み片１２９を差し込み穴１２７に差し込んで組み立てる。内嵌体１２５を組み立てると、図６に示すように「Ｌ」字状の切り込み部１３１に囲まれた部分が引き起こされて６つの当接片１３１ａが形成され、「コ」の字状の切り込み部１３３に囲まれた部分が引き起こされて３つの当接片１３３ａが形成される。当接片１３１ａは組み立てられた内嵌体１２５の３つの角部の上下端部に２つずつ配置され、２つの当接片１３１ａの上下方向の中間部に当接片１３３ａが配置される。組み立てられた内嵌体１２５の残り１つの角部には差し込み穴１２７から突出する差し込み片１２９が位置している。この差し込み片１２９より前側へ突出する部分にも当接片１５９が形成される。
【００２８】
当接片１３１ａ、１５９は前後方向（組み立てられた内嵌体１２５の短い幅方向）へ突出している。また、当接片１３３ａ、当接片としても機能する差し込み片１２９は左右方向（組み立てられた内嵌体１２５の長手方向）へ突出している。
【００２９】
次に、この保冷性収容箱１２１の使用方法について説明する。
箱本体１２３の底部１４３を形成した後、底部１４３に断熱シート１６１を備える。次いで、この断熱シート１６１上に内嵌体１２５を備える。内嵌体１２５の当接片１３１ａ、１５９は箱本体１２３の側板１３５の内面に、当接片１３１ａは側板１３７の内面にそれぞれ当接し、また当接片１３３ａは側板１４１の内面に、当接片１３３ａ、１２９は側板１３９の内面に当接する。従って、側板１３５，１３７、１３９、１４１と内嵌体１２５との間には空間が開くことになり、空気層が存在することになる（図８、図９参照）。
そして、冷蔵食品等の被収容物を内嵌体１２５に囲まれる収容空間１６２に備える。さらにもう１枚の断熱シート１６３を内嵌体１２５上に備えてから閉止片１４５、１４７、１４９、１５１から成る蓋体を閉じて、粘着テープで固定する。
【００３０】
この保冷性収容箱１２１では上記したように側板１３５，１３７、１３９、１４１と内嵌体１２５との空間に空気層が存在することになり、また底部１４３と蓋体に対応する部分には断熱シート１６１、１６３がそれぞれは配置されている。このように保冷性収容箱１は、その六面全てが高い断熱性能を有するので、被収容物の温度を長時間に渡って保冷することができる。しかも、箱本体１２３と内嵌体１２５は段ボールによって構成されているので、容易に再生利用することが可能である。
なお、実施例２に係る箱本体１２３は前述したようにＪＩＳＺ１５０７−０２０１タイプの箱であり、段ボール原紙を裁断して製作する場合に、無駄が殆どない長所を有する。
【００３１】
以上、本発明の実施例について詳述してきたが、具体的構成は、この実施例に限られるものではなく、本発明の要旨を逸脱しない範囲における設計の変更などがあっても発明に含まれる。
例えば、上記実施例では箱本体と内嵌体を段ボールによって構成したが、段ボールに限らず再生可能な板紙であれば、段ボールに限定されるものではなく、ボール紙によって構成してもよい。
【図面の簡単な説明】
【００３２】
【図１】本発明の実施例１に係る保冷性収容箱の分解斜視図である。
【図２】本発明の実施例１に係る保冷性収容箱を構成する箱本体の展開図である。
【図３】本発明の実施例１に係る保冷性収容箱を構成する内嵌体の展開図である。
【図４】本発明の実施例１に係る保冷性収容箱を構成する箱本体の組み立て途中の状態を示す斜視図である。
【図５】本発明の実施例１に係る保冷性収容箱の前後方向で切断した断面図である。
【図６】本発明の実施例２に係る保冷性収容箱の分解斜視図である。
【図７】本発明の実施例２に係る保冷性収容箱を構成する内嵌体の展開図である。
【図８】本発明の実施例２に係る保冷性収容箱の左右方向で切断した断面図である。
【図９】本発明の実施例２に係る保冷性収容箱の前後方向で切断した断面図である。
【符号の説明】
【００３３】
１  保冷性収容箱      ３  蓋体      ４  開口      ５  箱本体
７  内嵌体      ８  収容空間      ９  底板
１１、１３、１５、１７、４１  板部      １９、２１、２２、２５  補強部
２０、３９、４９、５９  連結部      ２７、２９  重合片      設置片  ３１
３３、３５  差し込み穴      ３７  切り込み部
２３、４１  ５１  板部      ４２、５２  凸部
４３、５３  重合片      ４５、５５  設置片      ４７、５７  切り込み部
６１  蓋体      ６２  断熱シート      ６３  差し込み片
６４  粘着面      ６５  切り欠き
６６、６７、６９、７１、７３、７５、７７、７９、８１、８３  切り込み部
６６ａ、６７ａ、６９ａ  差し込み片
７１ａ、７３ａ、７５ａ、７７ａ、７９ａ  当接片
３７ａ、４７ａ、５７ａ  支持片      
１０１  断熱シート      １０３  前側板      １０５  左側板
１０７  右側板      １０９  後側板
１１１  底部      １１３  後側部      １１５  上面部
１２１  保冷性収容箱      １２３  箱本体      １２５  内嵌体
１２７  差し込み穴      １２８  切り欠き部      １２９  差し込み片
１３１、１３３  切り込み部      １３５、１３７、１３９、１４１  側板
１３１ａ、１３３ａ、１５９  当接片
１４３  底部      １４５、１４７、１４９、１５１  閉止片
１５３  開口      １６１、１６３  断熱シート      １６２  収容空間
【図１】
2005280728.tif 000003
【図２】
2005280728.tif 000004
【図３】
2005280728.tif 000005
【図４】
2005280728.tif 000006
【図５】
2005280728.tif 000007
【図６】
2005280728.tif 000008
【図７】
2005280728.tif 000009
【図８】
2005280728.tif 000010
【図９】
2005280728.tif 000011